(57)【要約】【課題】羽根衿を取り外すことなく衣類の衿を２通りの仕様で着用可能な衣類を提供する。【解決手段】衣類の台衿１０の裏側の上部に所定幅の残余部３０を残した接合位置４０で台衿１０の裏側に羽根衿２０をコバステッチにより縫い合わせて取り付け、第１の着用形態では、羽根衿２０を羽根衿２０の接合位置４０で内側に折り曲げ、羽根衿２０が外部から見えない状態で着用し、第２の着用形態では、羽根衿２０を残余部３０を超えて外側に折り曲げ、羽根衿２０が外部から見える状態で着用する。【選択図】図１
2017115253.tif 000002
【特許請求の範囲】
【請求項１】
羽根衿を有する衣類であって、
上記衣類の台衿の裏側の上部に所定幅の残余部を残した接合位置で上記台衿の裏側に羽根衿を取り付け、
第１の着用形態においては、上記羽根衿を上記接合位置で内側に折り曲げ、上記羽根衿が外部から見えない状態で着用し、
第２の着用形態においては、上記羽根衿を上記残余部を超えて外側に折り曲げ、上記羽根衿が外部から見える状態で着用する
ことを特徴とする衣類。
【請求項２】
上記接合位置は、上記台衿の上から３分の１より上部側の位置に形成されている
ことを特徴とする請求項１に記載の衣類。
【請求項３】
上記羽根衿は、上記台衿の裏側にコバステッチにより縫い付けられている
ことを特徴とする請求項１又は２に記載の衣類。
【発明の詳細な説明】
【技術分野】
【０００１】
本発明は、羽根衿を有する衣類に関し、特に、一着で衿を２通りの仕様で着用可能な衣類に関する。
【背景技術】
【０００２】
シャツ、ポロシャツ、コート、ブルゾン等においては、羽根衿を有するもの、台衿のみのものが知られている。羽根衿を有する衣類、台衿のみの衣類は、好み、着こなし等により使い分けられているのが現状であり、羽根衿を有する衣類と台衿のみの衣類の両者が必要な場合はそれぞれ別に買い揃える必要がある。
【０００３】
ところで、従来、衿を取り外し可能にした衣類として、特許文献１に記載された替襟替袖シャツがある。
【０００４】
この替襟替袖シャツは、シャツの襟をマジックテープ（登録商標）等で、接着可能なもので取り付け、取り外しが自由にできるようにしたものである。
【０００５】
この替襟替袖シャツによれば、一着の衣類により、羽根衿を有する衣類と台衿のみの衣類の両者の着こなしが可能であるが、この場合取り外した衿は、ユーザが管理する必要があるので、例えば取り外した衿を紛失してしまうと、羽根衿を有する衣類と台衿のみの衣類の両者の着こなしはできなくなる。
【先行技術文献】
【特許文献】
【０００６】
【特許文献１】実開昭６１−１４２８０１号公報
【発明の概要】
【発明が解決しようとする課題】
【０００７】
そこで、本発明は、羽根衿を取り外すことなく衣類の衿を２通りの仕様で着用可能な衣類を提供することを目的とする。
【課題を解決するための手段】
【０００８】
上記の目的を達成するため、請求項１の発明は、羽根衿を有する衣類であって、上記衣類の台衿の裏側の上部に所定幅の残余部を残した接合位置で上記台衿の裏側に羽根衿を取り付け、第１の着用形態においては、上記羽根衿を上記接合位置で内側に折り曲げ、上記羽根衿が外部から見えない状態で着用し、第２の着用形態においては、上記羽根衿を上記残余部を超えて外側に折り曲げ、上記羽根衿が外部から見える状態で着用することを特徴とする。
【０００９】
請求項２の発明は、請求項１の発明において、上記接合位置は、上記台衿の上から３分の１より上部の位置に形成されていることを特徴とする。
【００１０】
請求項３の発明は、請求項１または２に記載の発明において、上記羽根衿は、上記台衿の裏側にコバステッチにより縫い付けられていることを特徴とする。
【発明の効果】
【００１１】
本発明は、羽根衿を有する衣類であって、上記衣類の台衿の裏側の上部に所定幅の残余部を残した接合位置で上記台衿の裏側に羽根衿を取り付け、第１の着用形態においては、上記羽根衿を上記接合位置で内側に折り曲げ、上記羽根衿が外部から見えない状態で着用し、第２の着用形態においては、上記羽根衿を上記残余部を超えて外側に折り曲げ、上記羽根衿が外部から見える状態で着用するように構成したので、羽根衿を取り外すことなく一着で衿を２通りの仕様で着用可能になるという効果を奏する。
【図面の簡単な説明】
【００１２】
【図１】図１は、本発明に係る衣類の衿部の要部を裏側から見た側面図である。
【図２】図２は、図１に示した側面図に対応する写真である。
【図３】図３は、図１に示した衣類を第１の着用形態で着用した状態を示す写真である。
【図４】図４は、図３の写真の要部拡大写真である。
【図５】図５は、図１に示した衣類を第２の着用形態で着用した状態を示す写真である。
【図６】図６は、図５の写真の要部拡大写真である。
【図７】図７は、図１に示した衣類を第１の着用形態で着用した場合を説明するための写真である。
【図８】図８は、図１に示した衣類を第２の着用形態で着用した場合を説明するための写真である。
【発明を実施するための形態】
【００１３】
以下、本発明を実施するための実施例について、添付した図面を参照しながら詳細に説明する。
【００１４】
図１は、本発明に係る衣類の衿部の要部を裏側から見た側面図である。なお、本実施例では、本発明に係る衣類としてシャツを想定しているが、シャツ以外にも、羽根衿を有する、例えば、ポロシャツ、コート、ブルゾン等にも同様に適用可能である。
【００１５】
図１において、この実施例においては、台衿１０の裏側の上部に所定幅の残余部３０を残した接合位置４０で台衿１０の裏側に羽根衿２０が取り付けられる。
【００１６】
ここで、台衿１０の裏側に対する羽根衿２０の取り付けは、コバステッチ５０により羽根衿２０を台衿１０の裏側に縫い付けることにより行われる。なお、ボタン６０は、この衣類を着用する際に、対向する台衿１０に設けられた図示しないボタン穴に係合させるためのものである。
【００１７】
図２は、図１に示した側面図に対応する写真であって、図１に示した本発明に係る衣類の衿部の要部を裏側から撮像した写真である。図２に示すように、台衿１０の裏面には、台衿１０の上部から所定幅の残余部３０を残した接合位置４０で羽根衿２０がコバステッチにより縫い合わされている。
【００１８】
図３は、図１に示した衣類を第１の着用形態で着用した状態を示す写真であり、図４は図３の写真の要部拡大写真である。ここで、第１の着用形態とは、羽根衿２０を羽根衿２０の接合位置４０で内側に折り曲げ、羽根衿２０が外部から見えない状態で着用する仕様である。
【００１９】
図５は、図１に示した衣類を第２の着用形態で着用した状態を示す写真であり、図６は、図５の写真の要部拡大写真である。ここで、第２の着用形態とは、羽根衿２０を残余部３０を超えて外側に折り曲げ、羽根衿２０が外部から見える状態で着用する仕様である。
【００２０】
なお、本発明において、台衿１０の裏側の上部に所定幅の残余部３０を残した接合位置４０は、好ましくは、台衿１０の上から３分の１より上部側の位置に形成される。ここで、接合位置４０が上記３分の１を越えて台衿１０の下側になると、この接合位置４０で羽根衿２０を内側に折り曲げた場合に、折り曲げた羽根衿２０が内部で邪魔になりモサモサ感が生じてしまう虞があるからである。また、所定幅の残余部３０を設けないと、上記第１の着用形態で着用した場合に、折り曲げた羽根衿２０が外部から見えてしまうことがあり、また、折り曲げた羽根衿２０が上部に飛び出してしまう虞があるからである。
【００２１】
図７は、図１に示した衣類を第１の着用形態で着用した場合を説明するための写真である。図７に示すように、本発明の衣類においては、台衿１０の裏側の上部に所定幅の残余部３０を残した接合位置４０で台衿１０の裏側に羽根衿２０が取り付けられており、第１の着用形態では、この羽根衿２０を羽根衿２０の接合位置４０で内側に折り曲げ、羽根衿２０が外部から見えない状態で着用する。この場合、内側に折り曲げた羽根衿２０は外気の遮断効果を有するので、第１の着用形態で本発明の衣類を着用した場合に、温かく着こなすことが可能になる。
【００２２】
また、台衿１０の裏側の上部から所定幅の残余部３０を設けたことにより、第１の着用形態で本発明の衣類を着用した場合に、折り曲げた羽根衿２０が上部に飛び出してしまう虞も生じない。
【００２３】
図８は、図１に示した衣類を第２の着用形態で着用した場合を説明するための写真である。図８に示すように、第２の着用形態では、羽根衿２０を残余部３０を超えて外側に折り曲げ、羽根衿２０が外部から見える状態で着用する。ここで、台衿１０の裏側の上部に所定幅の残余部３０を残した接合位置４０は、好ましくは、台衿１０の上から３分の１より上部側の位置に形成されているので、台衿１０の内側の布分布量が少なくなり、着用者の体の首部分との接触面が減ることにより、着用者の動作に際しての羽根衿２０の歪、動きを最小限にすることができる。
【００２４】
なお、本発明は上述の実施形態に限定されるものではなく、本発明の技術的思想の範囲内であれば、当業者の通常の創作能力によって多くの変形が可能である。例えば、羽根衿を有する、ポロシャツ、コート、ブルゾン等にも同様に適用可能である。
【符号の説明】
【００２５】
１０…台衿
２０…羽根衿
３０…残余部
４０…接合位置
５０…コバステッチ
６０…ボタン
【図１】
2017115253.tif 000003
【図２】
2017115253.tif 000004
【図３】
2017115253.tif 000005
【図４】
2017115253.tif 000006
【図５】
2017115253.tif 000007
【図６】
2017115253.tif 000008
【図７】
2017115253.tif 000009
【図８】
2017115253.tif 000010
【手続補正書】
【提出日】平成28年4月15日(2016.4.15)
【手続補正１】
【補正対象書類名】明細書
【補正対象項目名】０００８
【補正方法】変更
【補正の内容】
【０００８】
上記の目的を達成するため、請求項１の発明は、羽根衿を有する衣類であって、上記衣類の台衿の裏側の上部に所定幅の残余部を残した接合位置で上記台衿の裏側に羽根衿を取り付け、第１の着用形態においては、上記羽根衿を上記接合位置で内側に折り曲げ、上記羽根衿が外部から見えず、上記台衿のみ見える状態で着用し、第２の着用形態においては、上記羽根衿を上記残余部を超えて外側に折り曲げ、上記羽根衿が外部から見える状態で着用することを特徴とする。
【手続補正２】
【補正対象書類名】特許請求の範囲
【補正対象項目名】全文
【補正方法】変更
【補正の内容】
【特許請求の範囲】
【請求項１】
羽根衿を有する衣類であって、
上記衣類の台衿の裏側の上部に所定幅の残余部を残した接合位置で上記台衿の裏側に羽根衿を取り付け、
第１の着用形態においては、上記羽根衿を上記接合位置で内側に折り曲げ、上記羽根衿が外部から見えず、上記台衿のみ見える状態で着用し、
第２の着用形態においては、上記羽根衿を上記残余部を超えて外側に折り曲げ、上記羽根衿が外部から見える状態で着用する
ことを特徴とする衣類。
【請求項２】
上記接合位置は、上記台衿の上から３分の１より上部側の位置に形成されている
ことを特徴とする請求項１に記載の衣類。
【請求項３】
上記羽根衿は、上記台衿の裏側にコバステッチにより縫い付けられている
ことを特徴とする請求項１又は２に記載の衣類。
【手続補正書】
【提出日】平成28年6月9日(2016.6.9)
【手続補正１】
【補正対象書類名】明細書
【補正対象項目名】０００８
【補正方法】変更
【補正の内容】
【０００８】
上記の目的を達成するため、請求項１の発明は、羽根衿を有する衣類であって、
上記衣類の台衿の裏側の上部に所定幅の残余部を残した接合位置で上記台衿の裏側に上記台衿の略全域に亘って上記羽根衿を縫い付け、第１の着用形態においては、上記羽根衿を上記接合位置で内側に折り曲げ、上記羽根衿が外部から見えず、かつ上記台衿のみ見える状態で着用し、第２の着用形態においては、上記羽根衿を上記残余部を超えて外側に折り曲げ、上記台衿の大半が外部から見えず、かつ上記羽根衿が外部から見える状態で着用することを特徴とする。
【手続補正２】
【補正対象書類名】特許請求の範囲
【補正対象項目名】全文
【補正方法】変更
【補正の内容】
【特許請求の範囲】
【請求項１】
羽根衿を有する衣類であって、
上記衣類の台衿の裏側の上部に所定幅の残余部を残した接合位置で上記台衿の裏側に上記台衿の略全域に亘って上記羽根衿を縫い付け、
第１の着用形態においては、上記羽根衿を上記接合位置で内側に折り曲げ、上記羽根衿が外部から見えず、かつ上記台衿のみ見える状態で着用し、
第２の着用形態においては、上記羽根衿を上記残余部を超えて外側に折り曲げ、上記台衿の大半が外部から見えず、かつ上記羽根衿が外部から見える状態で着用する
ことを特徴とする衣類。
【請求項２】
上記接合位置は、上記台衿の上から３分の１より上部側の位置に形成されている
ことを特徴とする請求項１に記載の衣類。
【請求項３】
上記羽根衿は、上記台衿の裏側にコバステッチにより縫い付けられている
ことを特徴とする請求項１又は２に記載の衣類。
【手続補正書】
【提出日】平成28年11月15日(2016.11.15)
【手続補正１】
【補正対象書類名】明細書
【補正対象項目名】０００８
【補正方法】変更
【補正の内容】
【０００８】
上記の目的を達成するため、請求項１の発明は、羽根衿と該羽根衿を立たせるための台衿を有する衣類であって、上記台衿の裏側の上部に所定幅の残余部を残した接合位置で上記台衿の裏側に上記台衿の略全域に亘って上記羽根衿を縫い付け、第１の着用形態においては、上記羽根衿を上記接合位置で内側に折り曲げ、上記羽根衿が外部から見えず、かつ上記台衿のみ見える状態で着用し、第２の着用形態においては、上記羽根衿を上記残余部を超えて外側に折り曲げ、上記台衿の大半が外部から見えず、かつ上記羽根衿が外部から見える状態で着用することを特徴とする。
【手続補正２】
【補正対象書類名】特許請求の範囲
【補正対象項目名】全文
【補正方法】変更
【補正の内容】
【特許請求の範囲】
【請求項１】
羽根衿と該羽根衿を立たせるための台衿を有する衣類であって、
上記台衿の裏側の上部に所定幅の残余部を残した接合位置で上記台衿の裏側に上記台衿の略全域に亘って上記羽根衿を縫い付け、
第１の着用形態においては、上記羽根衿を上記接合位置で内側に折り曲げ、上記羽根衿が外部から見えず、かつ上記台衿のみ見える状態で着用し、
第２の着用形態においては、上記羽根衿を上記残余部を超えて外側に折り曲げ、上記台衿の大半が外部から見えず、かつ上記羽根衿が外部から見える状態で着用する
ことを特徴とする衣類。
【請求項２】
上記接合位置は、上記台衿の上から３分の１より上部側の位置に形成されている
ことを特徴とする請求項１に記載の衣類。
【請求項３】
上記羽根衿は、上記台衿の裏側にコバステッチにより縫い付けられている
ことを特徴とする請求項１又は２に記載の衣類。